(57)【特許請求の範囲】
【請求項１】
水が流入する流入口と、水が整流される流入管路と、複数の（ダイヤフラム弁に水の圧力を伝播させる）流入室と、複数の主弁座と、複数の（ダイヤフラム弁を経由した水が流出する）流出口Ａと、或る流入室から分岐した（ダイヤフラム弁を経由しない水が流出する）分岐口と、を有する弁本体に、複数の主弁座を閉鎖するように複数のダイヤフラム弁を配設した多連式のパイロット弁方式の電磁式給水弁において、該分岐口に延出管を連結し、該延出管に流量検出装置を内設したことを特徴とする多連式のパイロット弁方式の電磁式給水弁装置。
【請求項２】
水が流入する流入口と、水が整流される流入管路と、複数の（ダイヤフラム弁に水の圧力を伝播させる）流入室と、複数の主弁座と、複数の流出口Ａ又はＢと、を有する弁本体に、或る主弁座を閉鎖するようにダイヤフラム弁を配設したものと、主弁座にダイヤフラム弁を配設しないものと、を組み合わせた多連式のパイロット弁方式の電磁式給水弁において、ダイヤフラム弁を配設しない主弁座の流出口Ｂに流量検出装置を内設したことを特徴とする多連式のパイロット弁方式の電磁式給水弁装置。
【発明の詳細な説明】
【０００１】
【発明の属する技術分野】
本発明は、水道水等の給水配管ライン等（以下、ラインという。）に設置して、プランジャでダイヤフラム弁のパイロット・オリフィスを開閉することにより、ダイヤフラム弁を連動させて主弁座の開閉を行うパイロット方式の電磁式給水弁に係るものであり、詳しくは外部への給水ができる手動による放流動作と、規定の給水ができるダイヤフラム弁による放流（開弁）動作と、ができるように、ダイヤフラム弁を経由した水が流出する流出口Ａと、流入室から分岐しダイヤフラム弁を経由しない水が流出する分岐口、或いはダイヤフラム弁を経由しない水が流出する流出口Ｂと、該分岐口に延出管を連結し該延出管或いは該流出口Ｂに内設した流量検出装置と、を有する単体式或いは多連式のパイロット方式の電磁式給水弁装置に関する。
【０００２】
【従来の技術】
単体式のパイロット方式の電磁式給水弁（以下、単体式の従来弁という。）は、流入口、流入管路、流入室、主弁座、流出管路、流出口を樹脂成形部材（例えば、ポリプロピレン樹脂）で一体成形した弁本体に、主弁座を閉鎖するようにダイヤフラム弁（弁体）を設置し、該弁本体に該ダイヤフラム弁の液密パッキン部を押圧するように樹脂成形部材（例えば、ナイロン樹脂）のガイドケース（内部を背圧室という。）を押止め、該ガイドケースの内周には該ダイヤフラム弁のパイロット・オリフィスが閉鎖されるように、弾性部材（例えば、シリコンゴム）の軟質プランジャシート（弁体）が固定された磁性部材（例えば、ステンレススチール）のプランジャと、該プランジャを常時弾発付勢しているコイルスプリング（例えば、ステンレススチール線）を収納し、該ガイドケースの外周には銅線（例えば、エナメル線）を円筒状のボビン（例えば、ナイロン樹脂）に巻いて端子片（例えば、ファストン端子＃２５０）やリード線に接続したソレノイドを設置して構成されたものが知られている。
前記単体式の従来弁を組み合わせた（一体にした）２連式又は３連式等の多連式の従来弁の構成も略同様であり、細部については下記による。
【０００３】
流入口（単体式、多連式の従来弁の場合でも一つ）の外周部には、例えば、ねじ継手の呼びＰＴ３／４、口径の呼び２０というように、業界では給水ホース等のねじ接続や口径等を規格化していて、業界規定の螺刻（例えば、１０山）がある。
該流入口の内周部（流入する水の圧力を一次圧又は高圧側という。）には、異物（例えば、虫、砂、鉄屑等）混入防止の６０メッシュ程度の金属フィルタや、一次圧（ラインの動水圧）に係わらず略流量が一定になるように流量調整部品等を組み込む場合が多い。
【０００４】
例外もあるが、所定の通水量が毎分１０Ｌ未満の場合の流量調節部品に於いては、例えば、特公昭５９−２８７９６号公報、実公昭６２−１８７８７号公報等で開示されているように、上流側に樹脂成形部材（例えば、ポリフェニレンオキサイド樹脂、ポリフェニレンエーテル樹脂、ポリアセタール樹脂）の硬質カップと、下流側に弾性部材（例えば、ニトリルゴム）の軟質環状ディスク（以下、フロコンといい、略中央の貫通孔に面取りを施したような円錐状傾斜凹形状が成形されていないものをいう。）とを備えている流量調節部品を設置するのが一般的である。
該流量調節部品に、一次圧が低水圧（例えば、０．０５〜０．１０ＭＰａ又はそれ以下）で供給される場合は、水圧により該硬質カップは該フロコンを少し押圧する程度なので、該硬質カップに設けられた流水通路（例えば、周設の場合はＶ溝、階段状凹溝、その他。略中央部設の場合は貫通孔、その他。）はそのまま確保されていて、所定の通水量以下の水が通過する。
又、一次圧が中水圧（例えば、０．１０〜０．５０ＭＰａ程度）で供給される場合は、水圧により該硬質カップは低水圧時よりも該フロコンを強く押圧し、該硬質カップに設けられた該流水通路に該フロコンが食い込んで該流水通路が狭まれて、所定の通水量又はそれ以下の水が通過することになる。
さらに、一次圧が高水圧（例えば、０．５０〜０．７５ＭＰａ又はそれ以上）で供給される場合は、水圧により該硬質カップはほとんど該フロコンに食い込んでいて該流水通路がほとんど閉塞されて、所定の通水量又はそれ以下の水が通過することになる。
【０００５】
例外もあるが、所定の通水量が毎分１０Ｌから毎分３５Ｌ程度の場合の流量調節部品に於いては、例えば、実公平８−１３４８号公報の図１等で開示されているように、両側の端面の略中央の貫通孔（オリフィスともいい、流水管路である。）に、水圧又は流体の流量の変化により撓み、流水管路断面積が変化しやすいように円錐状傾斜凹形状が成形されている弾性部材（例えば、ニトリルゴム）の軟質環状ディスク（以下、フローシートという。）と、無くても良いが樹脂成形部材（例えば、ポリプロピレン樹脂、ポリアセタール樹脂）の硬質カラー（逆流時の飛出防止用のフローシート支えである。）とで構成された流量調節部品を設置するのが一般的である。
該流量調節部品については、水圧又は流体の流量の変化によりフローシートが撓み変形して該略中央の貫通孔である流水管路が狭まれて、所定の通水量又はそれ以下の水が通過することになる。
【０００６】
単体式の従来弁においては、前記のように該流入口に流量調節部品を配設する場合が一般的だが、例えば、実開昭５６−１３６６８５号公報、登録実用新案第３０２１４８８号公報等で開示されているように、流出口側に流量調節部品を配設する場合もある。
多連式の従来弁においては、例えば、実公昭６０−２０８６２号公報、実開平２−３１９６６号公報、特開昭５９−８９８７７号公報、特公昭６２−２９０７３号公報等で開示されているように、複合部品等とした流量調節部品等を該流入口に配設する場合と、登録実用新案第３０２１４８８号公報等で開示されているように、流量調節部品単体等を各々の流出口側に配設する場合もある。
【０００７】
流入管路（単体式、多連式の従来弁の場合でも一つ）は、該流入口の水を流入室に誘導する通路であるが、流入管路内でキャビテーションを発生しやすくする（ダイヤフラム弁を主弁座から浮遊させる水撃圧を確保する）ために、管路を長くすることが多い。又、該流量調整部品で水の流れが乱流になってしまうので、キャビテーションをより発生しやすくするためには一度整流させることが必要であり、流入管路内に整流羽根（例えば、＊字状）を設ける場合が多い。
【０００８】
流入室（単体式の従来弁の場合は一つ、２連式の従来弁の場合は二つ、同様に３連式の従来弁の場合は三つ存在する。）は、弁本体の内壁と流出管路の外周部とに囲まれた室をいい、ダイヤフラム弁に水の圧力を伝播させる機能がある。通常、該流入管路内で発生したキャビテーションは該流入室で消失されているが、流量が少ない時の止水性能を向上させるために、流入室全体にキャビテーションが行かないように、該流入管路の略出口近辺の両側には、弁本体の内壁と流出管路の外周部との間を仕切壁（リブ）にて仕切る場合が多い。該仕切壁二枚で仕切られた流入室の一部を小室という。
【０００９】
主弁座（単体式の従来弁の場合は一つ、２連式の従来弁の場合は二つ、同様に３連式の従来弁の場合は三つ存在する。）は、流出管路の端面部である。止水性能の向上のために、ダイヤフラム弁が食い込みやすくなる形状になっている。
【００１０】
流出口（単体式の従来弁の場合は一つ、２連式の従来弁の場合は二つ、同様に３連式の従来弁の場合は三つ存在する。又流出する水の圧力を二次圧又は低圧側という。）は流出管路の出口である。該流出口の外周部には、給水ホース等の抜け止め用に、環状の凸部（リブ）等がある。
【００１１】
ダイヤフラム弁（単体式の従来弁の場合は一つ、２連式の従来弁の場合は二つ、同様に３連式の従来弁の場合は三つ必要とする。）は、例えば、弾性部材（例えば、シリコンゴム）の軟質ダイヤフラムに設けられた少なくとも一個の小穴と一個の中穴に、樹脂成形部材（例えば、ポリアセタール樹脂）の硬質ディスクの片面に設けられた少なくとも一個の小突起と一個の中突起を嵌挿することにより結合（例えば、登録実用新案第３０１０８０６号公報等で開示されているように、複数の小穴と小突起を設けて嵌挿結合させても良い。）していて、該ダイヤフラム弁の外周部には該小突起が飛び出ていて、該流入室と背圧室（ガイドケース内部）を貫通するサイド・オリフィス（小孔、ブリード孔ともいう。）を備え、該ダイヤフラム弁の中央部には該中突起が飛び出ていて、該背圧室と背圧室流出口を貫通するパイロット・オリフィス（中孔）を備えている。
該主弁座を閉鎖するように該ダイヤフラム弁を弁本体に設置する時は、該サイド・オリフィスが該小室の略中間部に来るようにする。何故ならば、該流入管路内で発生したキャビテーションは、該小室で極めて急激に圧縮されて消失し、急激な圧力上昇（水撃圧）を起こし、該ダイヤフラム弁を該主弁座から浮遊させたり、流入室の水を圧力差（＝水撃圧−背圧室圧）により該サイド・オリフィスから該背圧室に流入させる原動力になっていると推定されるためである。
【００１２】
さて、該ソレノイド（単体式の従来弁の場合は一つ、２連式の従来弁の場合は二つ、同様に３連式の従来弁の場合は三つ必要とする。）に電流を流す（通常は交流１００Ｖの電圧を印加する）と、該ソレノイドの内側に設置された該ガイドケース内の略中央部に該プランジャが吸引されて、該パイロット・オリフィスを閉鎖していた該プランジャシートが離れる。すると、流入室の水は該サイド・オリフィスから該背圧室に流入し、該パイロット・オリフィス、該背圧室流出口を通り、該流出管路、該流出口に流出する。この通路が開通されると、該背圧室の水の圧力の下降と流入室の水の圧力とで該ダイヤフラム弁が該主弁座から若干浮遊する。該サイド・オリフィスから該背圧室に流入する水は、該サイド・オリフィスで一端収縮することから圧力が低下しキャビテーションが起こしている。該背圧室の水は、キャビテーションの消失により急激な圧力上昇（水撃圧）が起こっていて、該主弁座から浮遊される該ダイヤフラム弁を常に押圧しながら、該流出管路、該流出口に流出しているものと推定される。そして、流入室の大部分の水は該主弁座、該流出管路、該流出口に流出しているので、ラインの静水圧の水は、動水圧まで下がり流水状態となる。該流入口に組み込まれた流量制御用の流量調整部品により、水は一端収縮することから圧力が低下し該流入管路内でキャビテーションが起こり、該流入室で消失し、急激な圧力上昇（水撃圧）を起こし、該ダイヤフラム弁を該主弁座から浮遊させているものと推定される。又、急激な圧力上昇に伴い発生する圧力波等は、水の流れが、該流入口から該流出口の流路を通り流出されているので、ライン側には伝搬されない（又は伝搬量が少ない）ものと推定される。よって、従来弁の開弁動作中は、ラインの動水圧（流量が多いと下がる）は安定している。
参考ではあるが、該流量調整部品が設置されていない場合、ラインの動水圧での従来弁の圧力損失（＝一次圧−二次圧）は０．０１ＭＰａ〜０．０２ＭＰａであるので、キャビテーション消失後は、殆ど一次圧まで回復することが判る。
【００１３】
次に、該ソレノイドに電流を流すのを止めると、該コイルスプリングにより該プランジャが定位に復旧し、該プランジャシートが該パイロット・オリフィスを閉鎖する。すると、該サイド・オリフィスから該背圧室に流入している水は行き場を無くすが、前記のように該背圧室では、キャビテーションの消失により急激な圧力上昇（水撃圧）が起こっているので、該主弁座から浮遊していた該ダイヤフラム弁を該主弁座に押圧するようになる。そして、該主弁座が該ダイヤフラム弁で急閉鎖されて止水され、流入室の水は該サイド・オリフィスから該背圧室に流入することができなくなって、従来弁の閉弁動作が完了する。
【００１４】
【発明が解決しようとする課題】
しかしながら、従来弁においては、例えば、家庭用電気機器等に電子制御されていて、常時該ダイヤフラム弁が該主弁座を閉鎖しているので、該ソレノイドに電流を流さないと開弁動作をしないから、ラインに設置された従来弁から外部に給水したい場合、通常手動では該ソレノイドへの電圧印加ができないので、手動による放流動作ができないという問題点がある。
【００１５】
仮に、手動による放流動作ができたとして、例えば、家庭用電気機器等の従来弁の開閉制御を担当している電子制御回路側に、放流（通水又は流量）信号等を与えた方が良いが、下記の問題点がある。
単体式の従来弁の流入口を通過する水の流量を検出する場合は、特開平５−１８１５３９号公報、特開平７−２８９７８２号公報、特許第２６９２６９１号公報等で開示されているように、流入口に流量検出装置（例えば、羽車式流量センサ、熱式流量センサ、フロースイッチ）を配設すれば良いが、ダイヤフラム弁の浮遊等が有って、止水不良と間違われるような放水状態が有った場合は誤信号となる問題点がある。
多連式の従来弁においては、流入口側には既に流量調節部品が配設されている為に、流量検出装置が配設（組み込み）しにくいという問題点がある。
【００１６】
本発明は、従来の技術の有するこのような問題点を鑑みてなされたものであり、その目的とするところは、手動による放流動作と、ダイヤフラム弁による放流（開弁）動作と、ができるように、ダイヤフラム弁を経由した水が流出する流出口Ａと、流入室から分岐しダイヤフラム弁を経由しない水が流出する分岐口、或いはダイヤフラム弁を経由しない水が流出する流出口Ｂと、該分岐口に延出管を連結し該延出管或いは該流出口Ｂに内設した流量検出装置と、を有する単体式或いは多連式のパイロット弁方式の電磁式給水弁装置を提供しようとするものである。
【００１７】
【課題を解決するための手段】
上記目的を達成するために、本発明のパイロット弁方式の電磁式給水弁装置は、下記の特徴を有する。
単体式或いは多連式を問わず、パイロット弁方式の電磁式給水弁装置においては、水が流入する流入口と、水が整流される流入管路と、ダイヤフラム弁に水の圧力を伝播させる流入室と、主弁座と、ダイヤフラム弁を経由した水が流出する流出口Ａと、を有する弁本体に、該主弁座を閉鎖するようにダイヤフラム弁を配設したパイロット弁方式の電磁式給水弁において、該流入室から分岐しダイヤフラム弁を経由しない水が流出する分岐口を設けたことを特徴とする。
単体式のパイロット弁方式の電磁式給水弁装置においては、水が流入する流入口と、水が整流される流入管路と、ダイヤフラム弁に水の圧力を伝播させる流入室と、主弁座と、ダイヤフラム弁を経由した水が流出する流出口Ａと、該流入室から分岐しダイヤフラム弁を経由しない水が流出する分岐口と、を有する弁本体に、該主弁座を閉鎖するようにダイヤフラム弁を配設し、該分岐口に延出管を連結し、該延出管に流量検出装置を内設したことを特徴とする。
多連式のパイロット弁方式の電磁式給水弁装置においては、水が流入する流入口と、水が整流される流入管路と、複数の（ダイヤフラム弁に水の圧力を伝播させる）流入室と、複数の主弁座と、複数の（ダイヤフラム弁を経由した水が流出する）流出口Ａと、或る流入室から分岐した（ダイヤフラム弁を経由しない水が流出する）分岐口と、を有する弁本体に、複数の主弁座を閉鎖するように複数のダイヤフラム弁を配設し、該分岐口に延出管を連結し、該延出管に流量検出装置を内設したことを特徴とする。
又、多連式のパイロット弁方式の電磁式給水弁装置においては、水が流入する流入口と、水が整流される流入管路と、複数の（ダイヤフラム弁に水の圧力を伝播させる）流入室と、複数の主弁座と、複数の流出口Ａ又はＢと、を有する弁本体に、或る主弁座を閉鎖するようにダイヤフラム弁を配設したものと、主弁座にダイヤフラム弁を配設しないものと、を組み合わせ、ダイヤフラム弁を配設しない主弁座の流出口Ｂに流量検出装置を内設したことを特徴とする。
【００１８】
【発明の実施の形態】
発明の実施の形態について図面を参照して説明する。
図１は本発明の一実施例の単体式のパイロット弁方式の電磁式給水弁装置１０（以下、本装置１０）の右側面縦断面図である。図２は本装置１０の弁本体１７の平面図である。（但し、継手２５及び延出管２６は、分岐口２２に回転自在に連結されているので、方向等は任意とする。）
本装置１０においては、流入口１１と、流入管路１２と、流入室１３と、流出管路１４端面に設けられた主弁座１５と、内壁２０と流出管路１４の外周部との間を仕切壁１８にて仕切り、該仕切壁１８二枚で仕切られた流入室１３の一部である小室１９と、流出口Ａ１６と、内壁２０から設けられた分岐口２２と、を有する弁本体１７に、主弁座１５を閉塞するように、流入する水圧で変位可能なダイヤフラム弁３０を設置し、弁本体１７にダイヤフラム弁３０の液密パッキン部３３を押圧するようにガイドケース４０を押止め、該ガイドケース４０の内周には、該ダイヤフラム弁３０のパイロット・オリフィス３１を閉塞するようにプランジャシート４１が固定されたプランジャ４２と、該プランジャ４２を押圧しているコイルスプリング４３を収納し、該ガイドケース４０の外周には、マグネット・ワイヤーと呼ばれる銅線４４を円筒状のボビン４５に巻いて端子片４６に接続したソレノイド４７を設置したものである。
分岐口２２には、継手２５（任意）が回転自在に連結され、該継手２５には、延出管２６が連結され、該延出管２６内壁には、羽車式流量センサ２３（流量検出装置）が設けられ、該延出管２６外壁には、リード線２８が出ている磁気検出装置２４（ホールＩＣ、リードスイッチ等）と、安全弁２７（任意）と、が設けられている。
ダイヤフラム弁３０による放流（開弁）動作及び閉弁動作は、従来と同様にソレノイド４７への電圧印加の有無により動作させることができる。
手動による放流動作については、本装置１０を購入した、例えば、家庭用電気機器（例えば、全自動洗濯機、食器洗い乾燥機、局部洗浄装置）等の組立業者等が、該延出管２６に別途手動式開閉弁類等（例えば、水道蛇口）を設けて、最終消費者等に該手動式開閉弁類等を動作させる必要がある。
該手動式開閉弁類等を動作させることにより、ダイヤフラム弁３０による放流動作及び閉弁動作によらず、外部への給水が可能となる。
【００１９】
図３は本発明の一実施例の２連式のパイロット弁方式の電磁式給水弁装置５０（以下、本装置５０）の正面縦断面図である。図４は本装置５０の弁本体５７の平面図である。図５は本装置５０の右側面部分断面図である。（但し、継手２５及び延出管２６は、分岐口６２に回転自在に連結されているので、方向等は任意とする。）
本装置５０においては、流入口５１（部材位置においては図１における流入口１１に同じ。）と、流入管路５２と、流入室５３−１と、流入室５３−２と、流出管路５４−１端面に設けられた主弁座５５−１と、流出管路５４−２端面に設けられた主弁座５５−２と、内壁６０−１と流出管路５４−１の外周部との間を仕切壁５８にて仕切り、該仕切壁５８二枚で仕切られた流入室５３−１の一部である小室５９−１と、内壁６０−２と流出管路５４−２の外周部との間を仕切壁５８にて仕切り、該仕切壁５８二枚で仕切られた流入室５３−２の一部である小室５９−２と、流出口Ａ５６−１と、流出口Ａ５６−２と、内壁６０−２から設けられた分岐口６２と、を有する弁本体５７に、主弁座５５−１及び５５−２を閉塞するように、流入する水圧で変位可能なダイヤフラム弁３０を各々設置し、弁本体５７にダイヤフラム弁３０の液密パッキン部３３を押圧するようにガイドケース４０を押止め、該ガイドケース４０の内周には、該ダイヤフラム弁３０のパイロット・オリフィス３１を閉塞するようにプランジャシート４１が固定されたプランジャ４２と、該プランジャ４２を押圧しているコイルスプリング４３を収納し、該ガイドケース４０の外周には、マグネット・ワイヤーと呼ばれる銅線４４を円筒状のボビン４５に巻いて端子片４６に接続したソレノイド４７を設置したものである。
分岐口６２には、継手２５（任意）が回転自在に連結され、該継手２５には、延出管２６が連結され、該延出管２６内壁には、羽車式流量センサ２３が設けられ、該延出管２６外壁には、リード線２８が出ている磁気検出装置２４と、安全弁２７（任意）と、が設けられている。
本発明の一実施例として、内壁６０−２から分岐口６２を設けたが、内壁６０−１から分岐口６２を設けても良い。
ダイヤフラム弁３０による放流（開弁）動作及び閉弁動作は、従来と同様にソレノイド４７への電圧印加の有無により動作させることができる。
手動による放流動作については、本装置５０を購入した、例えば、家庭用電気機器等の組立業者等が、該延出管２６に別途手動式開閉弁類等を設けて、最終消費者等に該手動式開閉弁類等を動作させる必要がある。
該手動式開閉弁類等を動作させることにより、ダイヤフラム弁３０による放流動作及び閉弁動作によらず、外部への給水が可能となる。
【００２０】
図６は本発明の一実施例の３連式のパイロット弁方式の電磁式給水弁装置９０（以下、本装置９０）の弁本体９７の平面図である。図７は本装置９０の平面図である。図８は本装置９０の右側面部分断面図である。
本装置９０においては、流入口９１（部材位置においては図１における流入口１１に同じ。）と、流入管路９２（部材位置においては図１における流入管路１２に同じ。）と、流入室９３−１と、流入室９３−２と、流入室９３−３と、流出管路９４−１端面に設けられた主弁座９５−１と、流出管路９４−２端面に設けられた主弁座９５−２と、流出管路９４−３端面に設けられた主弁座９５−３と、内壁１００−１と流出管路９４−１の外周部との間を仕切壁９８にて仕切り、該仕切壁９８二枚で仕切られた流入室９３−１の一部である小室９９−１と、内壁１００−２と流出管路９４−２の外周部との間を仕切壁９８にて仕切り、該仕切壁９８二枚で仕切られた流入室９３−２の一部である小室９９−２と、内壁１００−３と流出管路９４−３の外周部との間を仕切壁９８にて仕切り、該仕切壁９８二枚で仕切られた流入室９３−３の一部である小室９９−３と、流出口Ａ９６−１と、流出口Ａ９６−２と、流出口Ｂ９６−３と、を有する弁本体９７に、主弁座９５−１及び９５−２を閉塞するように、流入する水圧で変位可能なダイヤフラム弁３０を各々設置し、弁本体９７にダイヤフラム弁３０の液密パッキン部３３を押圧するようにガイドケース４０を押止め、該ガイドケース４０の内周には、該ダイヤフラム弁３０のパイロット・オリフィス３１を閉塞するようにプランジャシート４１が固定されたプランジャ４２と、該プランジャ４２を押圧しているコイルスプリング４３を収納し、該ガイドケース４０の外周には、マグネット・ワイヤーと呼ばれる銅線４４を円筒状のボビン４５に巻いて端子片４６に接続したソレノイド４７を設置したものである。
主弁座９５−３の周囲にはパッキン３４を押圧するようにフタケース３５を押止めた。
流出口Ｂ９６−３内壁には、羽車式流量センサ２３が設けられ、該流出口Ｂ９６−３外壁には、リード線２８が出ている磁気検出装置２４が設けられている。また、流出口Ｂ９６−３に延出管等を連結し該延出管等に羽車式流量センサ２３を内設しても良いし、該延出管等の外周部にリード線２８が出ている磁気検出装置２４を設けても良い。
本発明の一実施例として、主弁座９５−３には該主弁座９５−３を閉塞するダイヤフラム弁３０を配設しないと共に流出口Ｂ９６−３に流量検出装置を内設したが、主弁座９５−１にダイヤフラム弁３０を配設しないと共に流出口Ｂ９６−１に流量検出装置を内設しても良いし、主弁座９５−２にダイヤフラム弁３０を配設しないと共に流出口Ｂ９６−２に流量検出装置を内設しても良い。
ダイヤフラム弁３０による放流（開弁）動作及び閉弁動作は、従来と同様にソレノイド４７への電圧印加の有無により動作させることができる。
手動による放流動作については、本装置９０を購入した、例えば、家庭用電気機器等の組立業者等が、該流出口Ｂ９６−３に別途手動式開閉弁類等を設けて、最終消費者等に該手動式開閉弁類等を動作させる必要がある。
該手動式開閉弁類等を動作させることにより、ダイヤフラム弁３０による放流動作及び閉弁動作によらず、外部への給水が可能となる。
【００２１】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
例えば、２連式又は３連式等の多連式のパイロット弁方式の電磁式給水弁装置の各々の流入室（単体式の場合は一つ、２連式の場合は二つ、同様に３連式の場合は三つ存在する。）に各々分岐口を設けても、或いは流出口Ｂ（主弁座にダイヤフラム弁を配設しないもの）としても良い。
又、直動弁方式の電磁式給水弁等の弁本体の流入室に分岐口を設けても、或いは流出口Ｂとしても良い。
【００２２】
【発明の効果】
本発明の単体式或いは多連式のパイロット弁方式の電磁式給水弁装置においては、手動による放流動作と、ダイヤフラム弁による放流（開弁）動作と、ができて、手動による放流動作に伴う放流（通水又は流量）信号が出せるという効果を奏する。
【図面の簡単な説明】
【図１】本発明の一実施例の単体式のパイロット弁方式の電磁式給水弁装置の右側面縦断面図である。
【図２】本発明の一実施例の単体式のパイロット弁方式の電磁式給水弁装置の弁本体の平面図である。
【図３】本発明の一実施例の２連式のパイロット弁方式の電磁式給水弁装置の正面縦断面図である。
【図４】本発明の一実施例の２連式のパイロット弁方式の電磁式給水弁装置の弁本体の平面図である。
【図５】本発明の一実施例の２連式のパイロット弁方式の電磁式給水弁装置の右側面部分断面図である。
【図６】本発明の一実施例の３連式のパイロット弁方式の電磁式給水弁装置の弁本体の平面図である。
【図７】本発明の一実施例の３連式のパイロット弁方式の電磁式給水弁装置の平面図である。
【図８】本発明の一実施例の３連式のパイロット弁方式の電磁式給水弁装置の右側面部分断面図である。
【符号の説明】
１０…本装置、１１…流入口、１２…流入管路、１３…流入室、１４…流出管路、１５…主弁座、１６…流出口、１７…弁本体、１８…仕切壁、１９…小室、２０…内壁、２２…分岐口、２３…羽車式流量センサ、２４…磁気検出装置、２５…継手、２６…延出管、２７…安全弁、２８…リード線、３０…ダイヤフラム弁、３１…パイロット・オリフィス、３３…液密パッキン部、３４…パッキン、３５…フタケース、４０…ガイドケース、４１…プランジャシート、４２…プランジャ、４３…コイルスプリング、４４…銅線、４５…円筒状のボビン、４６…端子片、４７…ソレノイド
【図１】
0003661987.tif 000002
【図２】
0003661987.tif 000003
【図３】
0003661987.tif 000004
【図４】
0003661987.tif 000005
【図５】
0003661987.tif 000006
【図６】
0003661987.tif 000007
【図７】
0003661987.tif 000008
【図８】
0003661987.tif 000009